(57)【要約】【課題】簡単な構成、簡単な施工で、安価に、かつ効果的に床下遮音を実現できる。【解決手段】床下防音パネル１０は、床下空間の高さ寸法より少し狭めに幅を合わせた横長板材１１と、横長板材１１の少なくとも下側となる片側端部に設けた弾力性を有するシート材１２とからなり、床下空間を長手方向に沿って仕切ることが可能である。また、床施工の後に間仕切り壁を構築する床先行工法により構築され、下部床３０、上部床３４，３８、及び下部床３０上に配置されて上部床３４，３８を支持する床支持部３２とを備える二重床構造であって、床支持部３２に、床下防音パネル１０を固定した。【選択図】図２
0003136257.tif 000002
【実用新案登録請求の範囲】
【請求項１】
床下空間の高さ寸法より少し狭めに幅を合わせた横長板材と、
前記横長板材の少なくとも下側となる片側端部に設けた弾力性を有するシート材とからなり、
前記床下空間を長手方向に沿って仕切ることが可能であることを特徴とする床下防音パネル。
【請求項２】
前記シート材は、前記片側端部を中空部が形成されるように巻き付けて覆い、
前記シート材の両端部を前記片側端部に固定したことを特徴とする請求項１に記載の床下防音パネル。
【請求項３】
床施工の後に間仕切り壁を構築する床先行工法により構築され、下部床、上部床、及び前記下部床上に配置されて前記上部床を支持する床支持部とを備える二重床構造であって、
前記床支持部に、請求項１または請求項２に記載の床下防音パネルを固定したことを特徴とする二重床構造。
【考案の詳細な説明】
【技術分野】
【０００１】
この考案は、床先行工法に用いる床下防音パネル及び床下防音パネルを用いた二重床構造に関する。
【背景技術】
【０００２】
例えば、長寿命を目指した住宅であるＳＩ住宅は、建物を耐久性を持つ建物の骨格（スケルトン）部分と変更する間取りや内装（インフィル）部分とに分離し、住まい手のライフスタイルやライフステージの変化に合わせて、間取りや内装を自由に替えることができるようにしている。このようなＳＩ住宅では、将来的な間仕切り壁の位置変更に対応できるように床先行工法が用いられている。
【０００３】
この床先行工法には二重床方式があり、例えば下部床上に配置される床支持部と、この床支持部の上に設置される上部床を用いた床下地構造を先行して設置し、その床下構造の上に間仕切り壁を構築するのが一般的である。
【０００４】
そのため、間仕切り壁が床下まで下りていないことから、間仕切り壁の床下部分は床支持部を構成する支持脚とその上部の支持脚ブロックだけとなり、その他の部分は開放的になっている。床下空間にはトイレ等の排水を流す配管が設置されていることから、この床下の配管を排水が流れるときに発生する音が、床下を伝搬して寝室などの隣室へ透過する。また、隣室で発生した音が連通した床下空間を経由して別の隣室へ透過してしまうなどの問題点がある。
【０００５】
このような配管を排水が流れるときに発生した音が床下を伝搬して寝室などの隣室へ透過してしまうことや、隣室で発生した音が床下を経由して別の隣室へ透過してしまうなどの問題を解決するために、例えば、床下の支持部材を長尺なものとし、連続的に仕切ることで遮音するもの（特許文献１）、間仕切り壁下部に袋を設置し、袋内に発泡ウレタンを注入し、膨張させて遮音と支持部材とするもの（特許文献２）、木製の土台、束、支持部材で間仕切り壁下を支持し、支持部材の両横面に板を張って遮音するもの（特許文献３）などが提案されている。
【特許文献１】特開２００２−４５５０
【特許文献２】特開２００５−２６４６１５
【特許文献３】特開２００４−３３２４４８
【考案の開示】
【考案が解決しようとする課題】
【０００６】
この特許文献１では、床下の支持部材が長尺で連続的に仕切るようになっているが、コンクリート躯体の下部床に凹凸によって生じることがある不陸部や支持部材の接続部分に隙間が残り、十分に遮音することができない。
【０００７】
また、特許文献２では、コンクリート躯体の下部床の不陸部も隙間なく塞ぐことができ遮音効果は高いが、袋を設置し、袋内に発泡ウレタンを注入し、膨張させるため、高価で手間がかかる。
【０００８】
また、特許文献３では、支持部材の両横面に単に板を張って遮音するだけであり、コンクリート躯体の下部床の不陸部に隙間が残り、十分に遮音することができない。
【０００９】
この考案は、かかる実情に鑑みてなされたもので、簡単な構成、簡単な施工で、安価に、かつ効果的に床下遮音を実現できる床下防音パネル及び二重床構造を提供することを目的としている。
【課題を解決するための手段】
【００１０】
前記課題を解決し、かつ目的を達成するために、この考案は、以下のように構成した。
【００１１】
請求項１に記載の考案は、床下空間の高さ寸法より少し狭めに幅を合わせた横長板材と、
前記横長板材の少なくとも下側となる片側端部に設けた弾力性を有するシート材とからなり、
前記床下空間を長手方向に沿って仕切ることが可能であることを特徴とする床下防音パネルである。
【００１２】
請求項２に記載の考案は、前記シート材は、前記片側端部を中空部が形成されるように巻き付けて覆い、
前記シート材の両端部を前記片側端部に固定したことを特徴とする請求項１に記載の床下防音パネルである。
【００１３】
請求項３に記載の考案は、床施工の後に間仕切り壁を構築する床先行工法により構築され、下部床、上部床、及び前記下部床上に配置されて前記上部床を支持する床支持部とを備える二重床構造であって、
前記床支持部に、請求項１または請求項２に記載の床下防音パネルを固定したことを特徴とする二重床構造である。
【考案の効果】
【００１４】
前記構成により、この考案は、以下のような効果を有する。
【００１５】
請求項１に記載の考案では、床下防音パネルが、横長板材の少なくとも下側となる片側端部に設けた弾力性を有するシート材によって、床下空間を長手方向に沿って下部床の凹凸によって生じることがある不陸部に隙間が残ることなく仕切ることができ、簡単な構成、簡単な施工で、安価に、かつ効果的に床下遮音を実現できる。
【００１６】
請求項２に記載の考案では、シート材は、片側端部を中空部が形成されるように巻き付けて覆い、シート材の両端部を横長板材に固定したことで、シート材が二重になって中空部の空気層が形成され、より効果的に床下遮音を実現できる。
【００１７】
請求項３に記載の考案では、床施工の後に間仕切り壁を構築する床先行工法により構築される二重床構造であり、床支持部に、請求項１または請求項２に記載の床下防音パネルを固定したことで、床下空間を長手方向に沿って下部床の凹凸によって生じることがある不陸部に隙間が残ることなく仕切ることができ、簡単な構成、簡単な施工で、安価に、かつ効果的に床下遮音を実現できる。
【考案を実施するための最良の形態】
【００１８】
以下、この考案の床下防音パネル及び二重床構造の実施の形態について説明する。この考案の実施の形態は、考案の最も好ましい形態を示すものであり、この考案はこれに限定されない。
【００１９】
まず、床下防音パネルについて説明する。
【００２０】
第１の実施の形態を、図１乃至図３に基づいて説明する。図１は床下防音パネルの正面図、図２は床下防音パネルの側面図、図３はシート材の取付部の拡大図である。
【００２１】
この実施の形態の床下防音パネル１０は、床下空間の高さ寸法より少し狭めに幅Ｗ１を合わせた長さＬ１の横長板材１１と、この横長板材１１の少なくとも下側となる片側端部１１ａに設けた弾力性を有するシート材１２とからなり、床下空間を長手方向に沿って仕切ることが可能である。この横長板材１１の下側となる片側端部１１ａに、弾力性を有するシート材１２を設けているが、シート材１２を上側の端部１１ｂにも設けてもよい。
【００２２】
横長板材１１としては、合板、複合合板等が用いられ、例えば厚さＤ１を９ｍｍ、または１２ｍｍとすることができる。この横長板材１１の幅Ｗ１は、床下空間の高さ寸法より少し狭めの幅であり、例えば幅Ｗ１は、下端の片側端部１１ａが床スラブ表面Ｍより高さＨ、例えば２０ｍｍ上がる幅とすることができる。
【００２３】
また、シート材１２としては、天然ゴム、合成樹脂のシート等が用いられ、例えば厚さＤ２を１ｍｍ、幅Ｗ２を１００ｍｍとすることができる。
【００２４】
このシート材１２は、横長板材１１の片側端部１１ａを中空部１３が形成されるように巻き付けて覆い、シート材１２の両端部１２ａ，１２ｂを片側端部１１ａの両側に外から固定する。この実施の形態では、シート材１２を膨らませて包むように横長板材１１の片側端部１１ａに巻き付け、シート材１２の両端部１２ａ，１２ｂを片側端部１１ａの両側に当てがいタッカーで固定針１４を打ち付けて固定するが、接着剤等で固定しても良い。このシート材１２の両端部１２ａ，１２ｂの重ね代Ｋは、例えば片面２０ｍｍづつであり、シート材１２がＵ字型になって中空部１３が形成される。
【００２５】
横長板材１１にシート材１２を設けた床下防音パネル１０の幅Ｗ３は、床下空間の高さ寸法より少し広めの幅であり、床下空間に設置することで、シート材１２が撓み床下空間を長手方向に沿って下部床の不陸部、すなわち床スラブ表面Ｍの凹凸によって生じる隙間が残ることなく仕切ることができる。また、シート材１２が二重になって中空部１３の空気層が形成され、より効果的に床下遮音を実現できる。
【００２６】
第２の実施の形態を、図４に基づいて説明する。図４は床下防音パネルの側面図である。
【００２７】
この実施の形態の床下防音パネル１０は、第１の実施の形態と同様に構成される部材は、同じ符号を付して説明を省略する。この実施の形態では、図４（ａ）に示すように、横長板材１１の片側の側面に、吸音性能を増やすためにグラスウール等の吸音材料２０を貼付しているが、図４（ｂ）に示すように、横長板材１１の両側の側面に貼付してもよい。
【００２８】
このように横長板材１１の少なくとも音源側の面に吸音材料２０を設けることで、吸音効果を一層高めることができる。
【００２９】
第３の実施の形態を、図５に基づいて説明する。図５は床下防音パネルの側面図である。
【００３０】
この実施の形態の床下防音パネル１０は、第１の実施の形態と同様に構成される部材は、同じ符号を付して説明を省略する。この実施の形態では、シート材１２としては、天然ゴム、合成樹脂のシート等が用いられるが、例えば厚さＤ２を３ｍｍ、幅Ｗ２を５０ｍｍとし、一端部１２ｃのみを横長板材１１の下側となる片側端部１１ａに設ける。
【００３１】
横長板材１１にシート材１２を設けた床下防音パネル１０の幅Ｗ３は、床下空間の高さ寸法より少し広めの幅であり、シート材１２が撓み床下空間を長手方向に沿って下部床の不陸部に隙間が残ることなく仕切ることができる。
【００３２】
第４の実施の形態を、図６に基づいて説明する。図６は床下防音パネルの側面図である。
【００３３】
この実施の形態の床下防音パネル１０は、第１の実施の形態と同様に構成される部材は、同じ符号を付して説明を省略する。この実施の形態では、シート材１２としては、スポンジのシートが用いられるが、例えば厚さＤ３を横長板材１１の厚さＤ１と同じ厚さかやや大きい厚さとし、幅Ｗ４を例えば２５ｍｍとし、横長板材１１の下側となる片側端部１１ａに接着剤などで固定して設ける。横長板材１１にシート材１２を設けた床下防音パネル１０の幅Ｗ３は、床下空間の高さ寸法より少し広めの幅であり、シート材１２のスポンジのシートが圧縮されて縮み長手方向に沿って下部床の不陸部に隙間が残ることなく仕切ることができる。
【００３４】
次に、上述する構成の床下防音パネル１０を用いる二重床方式の床先行工法を、図７に基づいて説明する。
（第１の工程）
図７（ａ）に示すように、コンクリートスラブの下部床３０の施工の後に、トイレや台所などの排水の配管３１を設置し、間仕切り壁下の床支持部３２を下部床３０に設置する。この床支持部３２は、下部床３０に立てた支持脚部材３２ａと、支持脚部材３２の上に置いた支持脚ブロック３２ｂからなる。そして、配管３１を覆うように床パネルの上部床３４を支持脚ブロック３２ｂの上に配置する。
（第２の工程）
図７（ｂ）に示すように、支持脚ブロック３２ｂの側面に、床下防音パネル１０の横長板材１１の上端部１１ｂを当てがい、シート材１２を下部床３０に当てがい、横長板材１１の上端部１１ｂを支持脚ブロック３２ｂの側面にビス３５によって締め付け固定する。床下防音パネル１０の接続部や角部、配管貫通部等の隙間は、弾性シート張りやグラスウール充填で塞ぐことで遮音することができる。
（第３の工程）
図７（ｃ）に示すように、防振支持脚３６を下部床３０に設置し、この防振支持脚３６の上に支持脚ブロック３７を置き、床パネルの上部床３８を支持脚ブロック３７と支持脚ブロック３３との上に配置する。そして、上部床３８と支持脚ブロック３７とを固定する。この床施工の後に間仕切り壁４０を構築し、居室５０，５１を区画し、上部床３４，３８の上に捨て張り合板４１、仕上げ材４３を配置し、間仕切り壁４０の下部の両側に巾木４２を取り付ける。
【００３５】
このように、第１の工程、第２の工程、第３の工程によって構築され、下部床３０、上部床３４，３８、及び下部床３０上に配置されて上部床３４，３８を支持する床支持脚３２とを備える二重床構造であり、床支持脚３２に床下防音パネル１０を固定している。
【００３６】
このように、床下防音パネル１０は、二重床の下地の床パネルの上部床３８を施工する時に、床支持部３２の上部の支持脚ブロック３２ｂの側面にビス３５によって止めることで簡単に設置することができる。
【００３７】
また、床下防音パネル１０の長さＬ１の施工寸法は、横長板材１１とシート材１２とをカッターやのこぎり等の簡単な工具で切断することで容易に加工、工作ができる。また、壁や重量物による二重床の沈み込みにも、床下防音パネル１０のシート材１２がパッキンの役目を果たし、床下防音パネル１０が破損することなく対応できる。
【００３８】
また、床下防音パネル１０は、横長板材１１の下側となる片側端部に設けた弾力性を有するシート材１２が、コンクリートスラブの下部床３０の表面に隙間無く接することができる。
【００３９】
この床先行工法では、間仕切り壁４０が床下まで下りていないことから、間仕切り壁４０の床下部分は床支持部３２を構成する支持脚３２ａとその上部の支持脚ブロック３２ｂだけとなり、その他の部分は開放的になっているが床下防音パネル１０によって、床下空間にトイレ等の排水を流す配管３１が設置され、この床下の配管３１を排水が流れるときに、床下を伝搬して寝室などの隣室へ透過することが防止され、配管３１から生じる透過音を効果的に遮断できる。また、隣室で発生した音が連通した床下空間を経由して別の隣室へ透過してしまうことが防止できる。
【００４０】
また、床下防音パネル１０の長さＬ１の施工寸法は、横長板材１１とシート材１２とをカッターやのこぎり等の簡単な工具で切断することで容易に加工、工作ができ、しかも支持脚ブロック３２ｂの側面にビス止めすることで簡単に設置することができ、施工性、経済性に優れている。
【産業上の利用可能性】
【００４１】
この考案は、建築物において、床先行工法に用いる床下防音パネル及び床下防音パネルを用いた二重床構造に適用可能であり、簡単な構成、簡単な施工で、安価に、かつ効果的に床下遮音を実現できる。
【図面の簡単な説明】
【００４２】
【図１】第１の実施の形態の床下防音パネルの正面図である。
【図２】第１の実施の形態の床下防音パネルの側面図である。
【図３】シート材の取付部の拡大図である。
【図４】第２の実施の形態の床下防音パネルの側面図である。
【図５】第３の実施の形態の床下防音パネルの側面図である。
【図６】第４の実施の形態の床下防音パネルの側面図である。
【図７】床下防音パネルを用いる二重床方式の床先行工法を説明する図である。
【符号の説明】
【００４３】
１０  床下防音パネル
１１  横長板材
１１ａ  片側端部
１２シート材
１２ａ，１２ｂ  シート材１２の両端部
１２  中空部
１２  固定針
２０吸音材料
３０  下部床
３１  配管
３２  床支持部
３２ａ  支持脚部材
３２ｂ  支持脚ブロック
３４  上部床
３６  防振支持脚
３７  支持脚ブロック
３８  上部床
４０  間仕切り壁  ４１  捨て張り合板
４２  巾木
５０、５１居室
【図１】
0003136257.tif 000003
【図２】
0003136257.tif 000004
【図３】
0003136257.tif 000005
【図４】
0003136257.tif 000006
【図５】
0003136257.tif 000007
【図６】
0003136257.tif 000008
【図７】
0003136257.tif 000009